(57)【特許請求の範囲】
【請求項１】
露光量を変えて少なくとも２画面の画像を動画で撮像し、この撮像された露光量の異なる少なくとも２画面の画像データを合成し、該合成した画像データを出力装置のダイナミックレンジに応じてダイナミックレンジ圧縮して画像出力する画像処理装置に於いて、
ダイナミックレンジ圧縮を行うための第１の圧縮係数を過去のフレームについての上記合成した画像データを用いて演算する圧縮係数演算手段と、
上記圧縮係数演算手段により求められた第１の圧縮係数を記憶する演算圧縮係数記憶手段と、
予め急激な輝度変化を想定して演算してある第２の圧縮係数を記憶する圧縮係数記憶手段と、
輝度変化の小さい状態での動画撮影時には上記演算圧縮係数記憶手段に記憶された第１の圧縮係数を、輝度変化が大きく変化する動画撮影時には上記圧縮係数記憶手段に記憶された第２の圧縮係数を、切換えて出力する圧縮係数出力切換手段と、
この圧縮係数出力切換手段から出力された圧縮係数に基いて、露光量の異なる少なくとも２画面の画像を合成した画像データのダイナミックレンジを圧縮処理する圧縮処理手段と、
を具備することを特徴とする画像処理装置。
【請求項２】
上記圧縮係数記憶手段は、予め急激な輝度変化を想定して演算してある第２の圧縮係数として、ストロボを使用したときの圧縮係数を記憶することを特徴とする請求項１に記載の画像処理装置。
【発明の詳細な説明】
【０００１】
【発明の属する技術分野】
この発明は、露光量の異なる２画面以上の画像を合成、圧縮してダイナミックレンジの広い画像を出力できる画像処理装置に関する。
【０００２】
【従来の技術】
一般に使用されている撮像素子のダイナミックレンジは５０〜６０ｄＢ、ＴＶ（テレビジョン）モニタ等のダイナミックレンジは４５ｄＢ程度である。これに対して、一般的な被写体のダイナミックレンジはこれより広く、８０〜１００ｄＢにも及んでいる。そのため、一般的な被写体を撮像素子で撮像してモニタ等に画像で表示すると、特に明暗の差のある画像の場合、明るい部分と暗い部分とを同時に表示することができない。これを解決する手段として、例えば特開平５−１６７８８９号公報及び特開平６−３１９１４９号公報に記載されているような技術手段がある。
【０００３】
すなわち、上記特開平６−３１９１４９号公報に記載の装置によれば、撮像光学系を通った被写体像がハーフミラー等の使用により２方向に分けられる。分けられた画像信号からは、フィルタ等の使用によって、一方は被写体の暗い部分は潰れてしまっているが、明るい部分は飽和せずに良好に撮像された画像信号を出力するように、もう一方は、明るい部分は飽和してしまっているが暗い部分が潰れずに良好に撮像されたが画像信号が得られるようにする。これらの２つの画像信号が合成され、暗い部分から明るい部分までの情報を有した画像信号が得られる。そして、その画像信号が対数圧縮されてフィルタリング処理が施され、ダイナミックレンジ及びゲインの制御が行われて画像出力される。
【０００４】
また、上記特開平５−１６７８８９号公報による装置では、画像データの平均値、標準偏差等から係数を算出し、加算及び乗算してダイナミックレンジ及びゲインを制御している。上記の方法により、ラチチュードが広くコントラストの善い画像がモニタに表示されている。
【０００５】
【発明が解決しようとする課題】
しかしながら、上述した従来技術では、画像データから平均値や標準偏差等の演算を行いダイナミックレンジやゲインを制御する係数の演算時間による動画像出力に関しては考慮されていない。例えば、動画の画像のように常に画像の輝度が変化するような場合に、特に急激に輝度が変化する様な画像に対しては（例えばストロボ等の光源を使用した場合）、演算に時間を要し、ラチチュードが広いコントラストの善い画像を表示するのにも時間がかかるという課題を有するものであった。
【０００６】
この発明は上記課題に鑑みてなされたもので、輝度の変化が大きい場合であっても常に最適な画像出力を行うことができる画像処理装置を提供することを目的とする。
【０００７】
【課題を解決するための手段】
すなわちこの発明は、露光量を変えて少なくとも２画面の画像を動画で撮像し、この撮像された露光量の異なる少なくとも２画面の画像データを合成し、該合成した画像データを出力装置のダイナミックレンジに応じてダイナミックレンジ圧縮して画像出力する画像処理装置に於いて、ダイナミックレンジ圧縮を行うための第１の圧縮係数を過去のフレームについての上記合成した画像データを用いて演算する圧縮係数演算手段と、上記圧縮係数演算手段により求められた第１の圧縮係数を記憶する演算圧縮係数記憶手段と、予め急激な輝度変化を想定して演算してある第２の圧縮係数を記憶する圧縮係数記憶手段と、輝度変化の小さい状態での動画撮影時には上記演算圧縮係数記憶手段に記憶された第１の圧縮係数を、輝度変化が大きく変化する動画撮影時には上記圧縮係数記憶手段に記憶された第２の圧縮係数を、切換えて出力する圧縮係数出力切換手段と、この圧縮係数出力切換手段から出力された圧縮係数に基いて、露光量の異なる少なくとも２画面の画像を合成した画像データのダイナミックレンジを圧縮処理する圧縮処理手段と、を具備することを特徴とする。
【０００９】
この発明の画像処理装置にあっては、露光量の異なる少なくとも２画面の画像が動画で撮像され、この撮像された少なくとも２画面の画像データが合成される。そして、この合成された画像データに対して、圧縮係数演算手段でダイナミックレンジ圧縮を行うための第１の圧縮係数が過去のフレームについての上記合成した画像データを用いて演算される。ここで求められた第１の圧縮係数は、演算圧縮係数記憶手段に記憶される。一方、圧縮係数記憶手段には、予め急激な輝度変化を想定して演算してある第２の圧縮係数が記憶されている。そして、輝度変化の小さい状態での動画撮影時には上記演算圧縮係数記憶手段に記憶された第１の圧縮係数が、輝度変化が大きく変化する動画撮影時には上記圧縮係数記憶手段に記憶された第２の圧縮係数が、圧縮係数出力切換手段によって切換えられて圧縮処理手段に出力される。上記圧縮係数出力切換手段から出力された圧縮係数に基いて、圧縮処理手段では、露光量の異なる少なくとも２画面の画像を合成した画像データのダイナミックレンジが、出力装置のダイナミックレンジに応じて圧縮処理されて画像出力される。
【００１１】
【発明の実施の形態】
以下、図面を参照してこの発明の実施の形態を説明する。
図１は、この発明の画像処理装置の第１の実施の形態を示すブロック構成図である。
【００１２】
図１に於いて、カメラ１からの出力は、２画面合成回路２及びホワイトバランス（ＷＢ）回路３を介して、フレームメモリ４及び圧縮処理部１１に供給される。フレームメモリ４の出力は、圧縮係数演算部５で所定の演算がなされて圧縮係数として演算圧縮係数記憶部６に記憶される。そして、この演算圧縮係数記憶部６に記憶された圧縮係数と、圧縮係数記憶部８に予め急激な輝度変化を想定して演算してある圧縮係数とが、圧縮係数出力切換部７に供給される。
【００１３】
この圧縮係数出力切換部７には、また、装置内部で制御可能な光源を発光するストロボ９と、撮像している画像の輝度変化を判断するための測光センサ１０が接続されている。上記圧縮係数出力切換部７の出力は、ホワイトバランス回路３の出力と共に圧縮処理部１１に供給される。そして、この圧縮処理部１１で処理された出力画像は、画像出力部１２を介してモニタ１３に供給されて表示される。
【００１４】
このような構成に於いて、カメラ１により動画像の撮像が行われる。このとき、カメラ１では、動画に於ける１フレームの画像取込みに際して、短時間露光の画像と長時間露光の画像の２種類の画像が取込まれる。上記カメラ１により取込まれた露光量の異なる２つの画像データは、共に２画面合成回路２に転送される。
【００１５】
２画面合成回路２では、カメラ１から転送された露光量の異なる２種類の画面の画像データの合成処理が行われるもので、１つの画像データが生成されてホワイトバランス回路３に転送される。このホワイトバランス回路３では、２画面合成回路２により合成された画像データの色調整処理が行われる。
【００１６】
ホワイトバランス回路３で処理された画像データは、フレームメモリ４に格納されると共に圧縮処理部１１に転送される。フレームメモリ４に格納された画像データは、圧縮係数演算部５に転送される。この圧縮係数演算部５では、フレームメモリ４に格納された露光量の異なる２画面の画像を合成した画像データを順次読出し、例えば平均値、分散、標準偏差等の演算を行い、圧縮処理に必要な圧縮係数を求めるものである。
【００１７】
圧縮係数は、出力装置のダイナミックレンジに合わせて、合成された画像データのダイナミックレンジを調整するためのダイナミックレンジ係数と、ダイナミックレンジ係数により低レベルに調整された画像データを増幅するゲインを調整するためのゲイン係数である。例えば、ダイナミックレンジ係数とゲイン係数は、以下のような式で表すことができる。
【００１８】
Ｙ′＝ｂＹａ                                        …（１）
Ｙ：圧縮処理前の画像データ
Ｙ′：圧縮処理後の画像データ
ａ：ダイナミックレンジ数
ｂ  ：ゲイン係数
また、以下のような式でも良い。
【００１９】
Ｙ′＝ｌｏｇｂＹａ                                  …（２）
Ｙ：圧縮処理前の画像データ
Ｙ′：圧縮処理後の画像データ
ａ：ダイナミックレンジ数
ｂ：ゲイン係数
上記圧縮係数演算部５により演算された圧縮係数は、演算圧縮係数記憶部６に記憶される。そして、圧縮係数出力切換部７に於いて、演算圧縮係数記憶部６に格納されている圧縮係数と、圧縮係数記憶部８に格納されている予め急激な輝度変化を想定して演算してある圧縮係数の何れかが、圧縮処理部１１に出力される切換え処理が行われる。
【００２０】
通常、輝度変化の小さい状態での動画撮像時には、圧縮係数出力切換部７は、演算圧縮係数記憶部６に格納されている圧縮係数を出力する。このとき、圧縮処理部１１に出力される圧縮係数は、実際には圧縮係数を演算するのに時間がかかるため、数フレーム分前に取込まれた画像データから演算された圧縮係数が出力されることになる。そのため、出力される画像は、本来の圧縮係数による圧縮された画像ではないが、撮像している画像の輝度の変化が小さいため、圧縮係数の変化も少なくなり、画像出力にはあまり影響がない状態となっている。
【００２１】
逆に輝度が大きく変化する動画撮像時（例えば、暗い場面を撮像中、急にカメラを明るい場面に移動して撮像する場合等）には、圧縮係数出力切換部７は、圧縮係数記憶部８に記憶されている圧縮係数を圧縮処理部１１に出力する。撮像している画像の輝度が急激に変化した場合、撮像している画像の輝度が急激に変化しているため、数フレーム前の圧縮係数のデータ使用して圧縮処理すると、最適な画像表示とならず、最適な画像表示がされるまでには、圧縮係数の演算が完了するまで時間がかかることになる。そのため、圧縮係数出力切換部７は、圧縮係数演算部５による圧縮係数の演算が完了して、最適な圧縮係数での圧縮処理ができる状態で、一時的に、予め演算されている圧縮係数を格納してある圧縮係数記憶部８から圧縮係数を出力するように切換える。例えば、暗い状態で急に照明を照らした場合や、その逆の場合等が該当する。
【００２２】
また、撮像している画像の輝度変化の判断を行うために、例えば測光センサ１０からの情報により輝度変化を判断することができる。この場合、圧縮処理部１１では、ホワイトバラス回路３から転送された画像データに対して、圧縮係数出力切換部７から出力される圧縮係数に基いて、ダイナミックレンジの圧縮処理が行われる。この圧縮処理部１１で圧縮処理された画像データは、画像出力部１２に転送されてモニタ１３に出力するための処理が行われる。その後、モニタ１３に画像が表示される。
【００２３】
このように、第１の実施の形態によれば、画像撮像時に急激な輝度変化が発生した場合でも、即座に急激な輝度変化に対応した圧縮係数を使用して圧縮処理を行うため、常に最適な画像出力を行うことができる。
【００２４】
加えて、圧縮係数演算部５で演算された演算圧縮係数記憶部６の出力と、圧縮係数記憶部８の出力を圧縮係数出力切換部７により切換可能として、輝度変化に対応した最適な圧縮係数を求めることができるため、急激な画像出力を即座に行うことができる。
【００２５】
また、圧縮係数出力切換部７には、ストロボ９のように装置内部で制御可能な光源を発生する手段が接続されている。圧縮係数出力切換部７は、ストロボ９の発光後、ストロボ９の内部的なトリガ出力により、圧縮係数記憶部８に予め格納されているストロボ発光時の圧縮係数を圧縮処理部１１に出力して圧縮処理を行う。
【００２６】
このようにすれば、ストロボ９によって動画像の撮像時でストロボによる静止画を撮影する場合等に、予め圧縮係数記憶部８にストロボを使用した時の圧縮係数が記憶されているので、即座に圧縮処理を施された静止画の画像出力を行うことができる。故に、輝度の変化を判断することが容易になり、画像出力に伴う全体的な処理を簡単にすることができる。加えて、動画像撮像時、ストロボを発光して静止画を撮像するような場合にも、確実にストロボ発光に対応した圧縮処理の施された静止画像の画像出力を行うことができる。
【００２７】
更に、圧縮処理で使用する圧縮係数を数多く切換ることが可能となるため、撮像する場面、用途に合った画像出力を行うことができる。
尚、同実施の形態では、撮像時の画像に急激な輝度の変化があった場合に、通常圧縮係数の演算時間分遅れて最適な画像表示がされるが、予め輝度変化に対応している圧縮係数を保持しているため、即座に輝度変化に対応して画像表示を行うことができる。
【００２８】
また、上述した第１の実施の形態に於ける各構成要素は、当然、各種の変形、変更が可能である。
例えば、図１に於いて、破線で示されるように、圧縮係数演算部５と圧縮係数記憶部８を接続した構成とする。そして、このような構成に、輝度の急激な変化があった場合、圧縮係数演算部５で演算された圧縮係数は圧縮係数記憶部８に記憶される。次に、前回と同一の輝度変化があった場合、圧縮係数出力切換部７は、圧縮係数記憶部８により記憶されている圧縮係数を圧縮処理部１１に出力して、圧縮処理を行う。
【００２９】
このようにすれば、実際にその場で演算された圧縮係数を使用して圧縮処理を行っているため、更に最適化した圧縮処理された画像出力を行うことができる。また、画像係数記憶部８は、内部のメモリ、記憶媒体に限らず外部の着脱可能なメモリ、記憶媒体等を用いることもできる。
【００３０】
次に、この発明の第２の実施の形態を説明する。
図２は、この発明の画像処理装置の第２の実施の形態を示すブロック構成図である。尚、以下に述べる実施の形態に於いて、図１の第１の実施の形態と同じ部分には同一の参照番号を付して説明は省略する。
【００３１】
図２に於いて、ホワイトバランス回路３で処理された画像データは、圧縮処理部１１と共に画像間引き処理部１５に転送される。この画像間引き処理部１５では、ホワイトバランス回路３から転送されてきた画像データの間引き処理が行われる。間引き処理は、例えば画像データの画素数を縦、横共、１／２、１／４、…で間引きする単純間引き等の方法がある。
【００３２】
画像間引き処理部１５により間引きされた画像データは、フレームメモリ４に格納される。そして、フレームメモリ４に格納された画像データは、圧縮処理演算部５に転送される。圧縮係数演算部５では、フレームメモリ４に格納された露光量の異なる２画面の画像が合成され、更に画素数の間引が行われた画像データを順次読出し画像出力する出力装置のダイナミックレンジに合わせるための圧縮処理に必要な圧縮係数を求める演算が行われる。
【００３３】
演算圧縮係数記憶部６に格納された圧縮係数は、圧縮処理部１１に出力される。以下、圧縮処理手段１１、画像出力手段１２、モニタ１３の動作は、上述した第１の実施の形態と同様である。
【００３４】
このように、第２の実施の形態によれば、圧縮係数を演算するための元になる画像データが、画像間引き処理部１５で画素数のサイズを小さくされているため、圧縮係数を求めるための演算時間を大幅に短縮することができ、また全体的に簡単な処理で、圧縮された画像の出力を即座に出力することができる。
【００３５】
尚、この第２の実施の形態に於ける各構成要素は、当然、各種の変形、変更が可能である。
例えば、画像間引き処理部１５による間引きは、撮像する画像データにより、横方向または縦方向のみの画素を間引いたり、また、ある特定部分の画素を残し、残りの画素を取り除くことも可能である。
【００３６】
次に、この発明の第３の実施の形態を、図３を参照して説明する。
図３は、この発明の画像処理装置の第３の実施の形態を示すブロック構成図である。
【００３７】
図３に於いて、演算圧縮係数記憶部６には、圧縮係数演算部５により演算された圧縮係数と、圧縮係数設定部１６の出力が供給される。そして、演算圧縮係数記憶部６の出力は圧縮処理部１１に転送されると共に、圧縮計数値表示部１７にも転送される。
【００３８】
このような構成に於いて、圧縮係数演算部５で演算された圧縮係数は、演算圧縮係数記憶部６に記憶される。そして、この演算圧縮係数記憶部６に記憶された圧縮係数は、圧縮処理部１１に出力される。圧縮処理部１１では、ホワイトバランス回路３よりホワイトバランス処理された画像データに対して、演算圧縮係数記憶部６より出力された圧縮係数を元に圧縮処理が行われる。ここで、圧縮処理された画像データは、画像出力するための画像出力部１２に転送され、更にモニタ１３により表示出力される。
【００３９】
一方、上記演算圧縮係数記憶部６から出力される圧縮係数は、圧縮係数値表示部１７にも出力される。圧縮係数値表示部１７では、出力された圧縮係数が、数値またはグラフ等の表示形式に変換される。そして、この表示形式に変換された圧縮係数が、モニタ１３により表示出力される。
【００４０】
操作者は、モニタ１３に表示された圧縮処理された画像と圧縮係数を数値またはグラフ等の表示形式に変換されたデータを参照する。その結果、圧縮係数の調整が必要と思われる場合には、圧縮係数設定部１６によって圧縮係数のデータの変更が行われる。そして、圧縮係数設定部１６により圧縮係数の設定完了後は、設定後の圧縮係数が演算圧縮係数記憶部６に出力される。演算圧縮係数記憶部６は、圧縮係数設定部１６から出力された圧縮係数が記憶され、該圧縮係数が圧縮処理部１１に出力される。
【００４１】
このように、第３の実施の形態によれば、演算で求められた圧縮係数を操作者が確認でき、またその値を操作者が設定し直すことができる。したがって、撮像され、圧縮処理された画像データが操作者が意図していた画像と異なる場合でも変更することが可能であり、操作者の意図していた最適な画像出力を得ることが可能になる。
【００４２】
尚、この発明の上記実施態様によれば、以下の如き構成を得ることができる。（１）  露光量を変えて少なくとも２画面の画像を動画で撮像し、この撮像された露光量の異なる少なくとも２画面の画像データを合成し、該合成した画像データを出力装置のダイナミックレンジに応じてダイナミックレンジ圧縮して画像出力する画像処理装置に於いて、
上記合成した画像データに対してダイナミックレンジ圧縮を行うための第１の圧縮係数を演算する圧縮係数演算手段と、
上記圧縮係数演算手段により求められた第１の圧縮係数を記憶する演算圧縮係数記憶手段と、
動画撮像時の画像輝度の変化が所定範囲を越えた場合に対応する第２の圧縮係数を予め記憶する圧縮係数記憶手段と、
上記動画撮像時の画像輝度の変化が上記所定範囲内の場合は上記演算圧縮係数記憶手段に記憶された第１の圧縮係数を、上記動画撮像時の画像輝度の変化が上記所定範囲を越えた場合は上記圧縮係数記憶手段に記憶された第２の圧縮係数を、切換えて出力する圧縮係数出力切換手段と、
この圧縮係数出力切換手段から出力された圧縮係数に基いて、露光量の異なる少なくとも２画面の画像を合成した画像データのダイナミックレンジを圧縮処理する圧縮処理手段と
を具備することを特徴とする画像処理装置。
【００４３】
（２）  上記演算圧縮係数記憶手段は、内部メモリで構成されることを特徴とする上記（１）に記載の画像処理装置。
（３）  上記演算圧縮係数記憶手段は、内部記憶媒体で構成されることを特徴とする上記（１）に記載の画像処理装置。
【００４４】
（４）  上記圧縮係数出力切換手段は、動画撮像中の画像輝度の変化が前回と同じ所定範囲を越えた場合に、上記圧縮係数記憶手段に記憶されている上記第２の圧縮係数を上記圧縮処理手段に出力することを特徴とする上記（１）に記載の画像処理装置。
【００４５】
（５）  上記圧縮係数切換手段は、内部のトリガに基いて圧縮係数を切換えることを特徴とする上記（１）に記載の画像処理装置。
（６）  上記圧縮係数記憶手段は、着脱可能な外部メモリで構成されることを特徴とする上記（１）に記載の画像処理装置。
【００４６】
（７）  上記圧縮係数切換手段は、着脱可能な外部記憶媒体で構成されることを特徴とする上記（１）に記載の画像処理装置。
（８）  上記圧縮係数演算手段で上記第１の圧縮係数の演算を行うための元になる画像データを間引き、情報量を減らした画像データに対して圧縮係数演算処理を行う画像間引き手段を更に具備することを特徴とする上記（１）に記載の画像処理装置。
【００４７】
（９）  露光量を変えて少なくとも２画面の画像を動画で撮像し、この撮像された露光量の異なる少なくとも２画面の画像データを合成し、該合成した画像データを出力装置のダイナミックレンジに応じてダイナミックレンジ圧縮して画像出力する画像処理装置に於いて、
上記合成した画像データに対してダイナミックレンジ圧縮を行うための第１の圧縮係数を演算する圧縮係数演算手段と、
上記圧縮係数演算手段により求められた圧縮係数を記憶する演算圧縮係数記憶手段と、
この演算圧縮係数記憶手段に記憶された上記圧縮係数を設定変更可能な圧縮係数設定手段と、
上記演算圧縮係数記憶手段から出力された圧縮係数に基いて、露光量の異なる少なくとも２画面の画像を合成した画像データのダイナミックレンジを圧縮処理する圧縮処理手段と、
上記演算圧縮係数記憶手段から出力された圧縮係数を表示出力する圧縮係数値表示手段と
を具備することを特徴とする画像処理装置。
【００４８】
上記（１）乃至（７）の構成は、図１及び第１の実施の形態が対応する。
そして、上記（１）、（２）及び（３）の構成によれば、画像撮像時に急激な輝度変化が発生した場合でも、即座に急激な輝度変化に対応した圧縮係数を使用して圧縮処理を行うため、常に最適な画像出力を行うことができる。また、上記（４）の構成によれば、輝度変化に対応した最適な圧縮係数を求めることができるため、更に急激な画像出力を即座に行うことができる。上記（５）の構成によれば、動画像の撮像時に、ストロボによる静止画を撮影する場合等に、予め圧縮記憶手段によりストロボを使用した時の圧縮係数が記憶されているので、即座に圧縮処理が施された静止画の画像出力を行うことができる。更に、上記（６）及び（７）の構成によれば、圧縮処理で使用する圧縮係数を数多く切換ることが可能となるため、撮像する場面、用途にあった画像出力を行うことができる。
【００４９】
そして、上記（８）の構成は、図２及び第２の実施の形態が対応する。
上記（８）の構成によれば、圧縮係数を求める演算に要する時間を短縮することができるため、圧縮処理による画像出力を常に素早く対応することができる。
【００５０】
上記（９）の構成は、図３及び第３の実施の形態が対応する。
上記（９）の構成によれば、操作者は、圧縮処理で設定されている圧縮係数を確認でき、また設定されている圧縮係数の設定を自由に変えることができるため、操作者の意図した最適な画像出力を可能にする。
【００５１】
【発明の効果】
以上のようにこの発明によれば、輝度の変化が大きい場合であっても常に最適な画像出力を行うことができる画像処理装置を提供することができる。
【図面の簡単な説明】
【図１】この発明の画像処理装置の第１の実施の形態を示すブロック構成図である。
【図２】この発明の画像処理装置の第２の実施の形態を示すブロック構成図である。
【図３】この発明の画像処理装置の第３の実施の形態を示すブロック構成図である。
【符号の説明】
１  カメラ、
２  ２画面合成回路、
３  ホワイトバランス（ＷＢ）回路、
４  フレームメモリ、
５  圧縮係数演算部、
６  演算圧縮係数記憶部、
７  圧縮係数出力切換部、
８  圧縮係数記憶部、
９  ストロボ、
１０  測光センサ、
１１  圧縮処理部、
１２  画像出力部、
１３  モニタ。
【図１】
0003854660.tif 000002
【図２】
0003854660.tif 000003
【図３】
0003854660.tif 000004